(57)【特許請求の範囲】
【請求項１】
携帯情報端末からの通話に基づいて、画像データ、文字テキスト等からなる番組表と、前記番組表に記載の各番組に対応する番組コードとからなる番組表データを携帯情報端末に送信する番組表配信サーバと、
前記携帯情報端末からの通話に基づいて、前記番組コードと、転送先コードとを受信する受信手段と、前記受信手段が受信した前記番組コードに基づいて予約コードを生成する予約コード生成手段と、前記受信手段が受信した前記転送先コードに基づいて、前記予約コード生成手段が生成した前記予約コードを前記家庭用ビデオサーバへ送信する送信手段とから成る番組予約サーバと、
前記番組予約サーバから受信した前記予約コードに基づいて、番組を予約する家庭用ビデオサーバとを含む番組予約システム。
【請求項２】
携帯情報端末からの通話に基づいて、画像データ、文字テキスト等からなる番組表と、前記番組表に記載の各番組に対応する番組コードとからなる番組表データを携帯情報端末に送信する番組表配信サーバと、
転送先コードと、第１の暗証番号と、携帯情報端末が前記番組表配信サーバから受信した番組コードとを携帯情報端末から受信し、その受信した番組コードに基づいて予約コードを生成し、受信した転送先コードに基づいて転送先に前記予約コードと前記第１の暗証番号とを送信する番組予約サーバと、
前記番組予約サーバから前記予約コード及び前記第１の暗証番号を受信し、その受信した第１の暗証番号と予め設定された第２の暗証番号とが一致したとき、前記予約コードに基づいて番組の予約を行う家庭用ビデオサーバとを含む番組予約システム。
【請求項３】
前記番組予約サーバは、携帯情報端末からの通話に基づいて、前記番組コードと、前記転送先コードと、前記第１の暗証番号とを受信する受信手段と、
前記受信手段が受信した前記番組コードに基づいて予約コードを生成する予約コード生成手段と、
前記受信手段が受信した前記転送先コードに基づいて、前記第１の暗証番号と、前記予約コード生成手段が生成した前記予約コードとを前記家庭用ビデオサーバへ送信する送信手段とから成る請求項２記載の番組予約システム。
【請求項４】
前記家庭用ビデオサーバは、前記番組予約サーバから前記予約コードと前記第１の暗証番号とを受信する受信手段と、
記録装置と、
暗証番号判定手段からの一致信号を受信すると、前記受信手段が受信した前記予約コードに基づいて前記記録装置に録画予約を行う予約コード変換手段と、
前記受信手段が受信した前記第１の暗証番号と、予め設定された第２の暗証番号とを比較し、前記第１の暗証番号と前記第２の暗証番号とが一致するとき、一致信号を前記予約コード変換手段に出力する暗証番号判定手段とから成る請求項２記載の番組予約システム。
【請求項５】
前記第２の暗証番号が携帯情報端末の電話番号であることを特徴とした請求項２から請求項４のいずれか１項に記載の番組予約システム。
【請求項６】
前記番組予約サーバが前記家庭用ビデオサーバに対しアクセスし予約コードを送信した後、前記番組予約サーバは前記家庭用ビデオサーバから録画予約が正常に行われたか否かの予約終了信号を受信し、該受信した予約終了信号に基づき前記携帯情報端末に録画予約の正常終了または異常終了を送信する請求項１から請求項５のいずれか１項に記載の番組予約システム。
【請求項７】
前記家庭用ビデオサーバが録画予約を行った後、前記家庭用ビデオサーバは前記携帯情報端末に対しアクセスを行い、録画予約の正常終了または異常終了を送信する請求項１から請求項５のいずれか１項に記載の番組予約システム。
【請求項８】
前記番組表配信サーバから取得した番組表により予約する番組を選択した場合、該選択した番組に関連付けられた電話番号を自動的に発呼することを特徴とした請求項１から請求項７のいずれか１項に記載の番組予約システム。
【発明の詳細な説明】
【０００１】
【発明の属する技術分野】
本発明は携帯情報端末により家庭用ビデオサーバ等に番組予約を行う番組予約システムに関するものである。
【０００２】
【従来の技術】
従来、携帯情報端末は無線回線を介した通話や各種情報ソースへのアクセス手段として用いられているが、その他の場合においては何ら使用されていなかった。
また、ＶＣＲ（ビデオカムレコーダ）等の録画再生装置には、録画開始時刻、録画終了時刻及び録画したいチャンネル等を予め設定しておくことで、所望の番組を自動的に録画できる録画予約機能が備わっている。
【０００３】
しかし、録画予約機能は自宅で予め行っておく必要があったため、録画予約を忘れて外出してしまった場合などが考え、最近では外出先から公衆回線（電話回線）を介して番組予約を行える機能を備えたＶＣＲ等の録画再生装置がある。
【０００４】
【発明が解決しようとする課題】
しかし、前記録画再生装置に対し外出先から公衆回線を介して番組予約を行うためには、外出先で録画したい番組、録画開始時刻、録画終了時刻、及び録画したいチャンネルを正確に知っている必要があった。
しかし、外出先で録画予約を忘れたことに気付いた利用者が必要な情報を正確に記憶していることは稀であり、誤った番組予約を行ってしまうという問題があった。
そこで本願発明は、携帯情報端末を用いて外出先から誤ることなく家庭用ビデオサーバ等に番組予約を行うことを目的とする。
【０００５】
【課題を解決するための手段および効果】
請求項１に係る発明は、携帯情報端末からの通話に基づいて、画像データ、文字テキスト等からなる番組表と、前記番組表に記載の各番組に対応する番組コードとからなる番組表データを携帯情報端末に送信する番組表配信サーバと、前記携帯情報端末からの通話に基づいて、前記番組コードと、転送先コードとを受信する受信手段と、前記受信手段が受信した前記番組コードに基づいて予約コードを生成する予約コード生成手段と、前記受信手段が受信した前記転送先コードに基づいて、前記予約コード生成手段が生成した前記予約コードを前記家庭用ビデオサーバへ送信する送信手段とから成る番組予約サーバと、前記番組予約サーバから受信した前記予約コードに基づいて、番組を予約する家庭用ビデオサーバとを含む番組予約システムである。
請求項１に記載された番組予約システムにおいては、携帯情報端末から番組表配信サーバへ通話されると、番組表配信サーバは番組コードを含む番組表データを携帯情報端末へ送信し、携帯情報端末は受信した番組コードと、転送先コードとを番組予約サーバへ送信する。そうすると、番組予約サーバは、携帯情報端末からの番組コードと転送先コードとを受信手段により受信し、受信された番組コードは予約コード生成手段に入力され、番組コードに基づいて予約コードが生成される。そして、送信手段は、受信手段が受信した転送先コードに基づいて予約コード生成手段が生成した予約コードを家庭用ビデオサーバへ送信し、家庭用ビデオサーバは、受信した予約コードに基づいて番組の録画予約を行う。
従って、請求項１に記載された発明によれば、外出先から希望する番組の番組予約を正確に行うことができる。
【０００６】
また、請求項２に係る発明は、携帯情報端末からの通話に基づいて、画像データ、文字テキスト等からなる番組表と、前記番組表に記載の各番組に対応する番組コードとからなる番組表データを携帯情報端末に送信する番組表配信サーバと、転送先コードと、第１の暗証番号と、携帯情報端末が番組表配信サーバから受信した番組コードとを携帯情報端末から受信し、その受信した番組コードに基づいて予約コードを生成し、受信した転送先コードに基づいて転送先に予約コードと第１の暗証番号とを送信する番組予約サーバと、番組予約サーバから予約コード及び第１の暗証番号を受信し、その受信した第１の暗証番号と予め設定された第２の暗証番号とが一致したとき、予約コードに基づいて番組の予約を行う家庭用ビデオサーバとを含む番組予約システムである。
請求項２に記載された番組予約システムにおいては、携帯情報端末から番組表配信サーバへ通話されると、番組表配信サーバは番組コードを含む番組表データを携帯情報端末へ送信し、携帯情報端末は受信した番組コードと、転送先コードと、第１の暗証番号とを番組予約サーバへ送信する。そうすると、番組予約サーバは、携帯情報端末から受信した番組コードに基づいて予約コードを生成し、その生成した予約コードと、第１の暗証番号とを転送先コードに基づいて家庭用ビデオサーバへ送信する。そして、家庭用ビデオサーバは受信した第１の暗証番号が予め設定された第２の暗証番号と一致したとき、受信した予約コードに基づいて番組の予約を行う。
従って、請求項２に記載された発明によれば、外出先から希望する番組の番組予約を正確に行うことができる。また、自宅以外の家庭用ビデオサーバに誤って録画予約することを防止できる。
また、請求項３に係る発明は、請求項４に記載された番組予約システムにおいて、番組予約サーバは、携帯情報端末からの通話に基づいて、番組コードと、転送先コードと、第１の暗証番号とを受信する受信手段と、受信手段が受信した番組コードに基づいて予約コードを生成する予約コード生成手段と、受信手段が受信した転送先コードに基づいて、第１の暗証番号と、予約コード生成手段が生成した予約コードとを家庭用ビデオサーバへ送信する送信手段とから成る番組予約システムである。
請求項３に記載された番組予約システムにおいては、携帯情報端末から番組表配信サーバへ通話されると、番組表配信サーバは番組コードを含む番組表データを携帯情報端末へ送信し、携帯情報端末は受信した番組コードと、転送先コードと、第１の暗証番号とを番組予約サーバへ送信する。そうすると、番組予約サーバは、携帯情報端末から番組コードを受信手段により受信し、予約コード生成手段は、受信手段が受信した番組コードに基づいて予約コードを生成し、送信手段は、受信手段が受信した転送先コードに基づいて、予約コード生成手段が生成した予約コードと、受信手段が受信した第１の暗証番号とを家庭用ビデオサーバへ送信する。そして、家庭用ビデオサーバは受信した第１の暗証番号が予め設定された第２の暗証番号と一致したとき、受信した予約コードに基づいて番組の予約を行う。
従って、請求項３に記載された発明によれば、外出先から希望する番組の番組予約を正確に行うことができる。また、自宅以外の家庭用ビデオサーバに誤って録画予約することを防止できる。
また、請求項４に係る発明は、請求項２に記載された番組予約システムにおいて、家庭用ビデオサーバは、番組予約サーバから予約コードと第１の暗証番号とを受信する受信手段と、記録装置と、暗証番号判定手段からの一致信号を受信すると、受信手段が受信した予約コードに基づいて記録装置に録画予約を行う予約コード変換手段と、受信手段が受信した第１の暗証番号と、予め設定された第２の暗証番号とを比較し、第１の暗証番号と第２の暗証番号とが一致するとき、一致信号を予約コード変換手段に出力する暗証番号判定手段とから成る番組予約システムである。
請求項４に記載された番組予約システムにおいては、携帯情報端末から番組表配信サーバへ通話されると、番組表配信サーバは番組コードを含む番組表データを携帯情報端末へ送信し、携帯情報端末は受信した番組コードと、転送先コードと、第１の暗証番号とを番組予約サーバへ送信する。そうすると、番組予約サーバは、携帯情報端末から受信した番組コードに基づいて予約コードを生成し、その生成した予約コードと、第１の暗証番号とを転送先コードに基づいて家庭用ビデオサーバへ送信する。そして、家庭用ビデオサーバは、受信手段により受信した第１の暗証番号を暗証番号判定手段へ入力し、暗証番号判定手段により第１の暗証番号と予め設定された第２の暗証番号とが比較され、両者が一致したとき、暗証番号判定手段から予約コード変換手段へ一致信号が出力される。予約コード変換手段は、一致信号を入力すると、受信手段が受信した予約コードに基づいて番組の予約を行う。
従って、請求項４に記載された発明によれば、外出先から希望する番組の番組予約を正確に行うことができる。また、自宅以外の家庭用ビデオサーバに誤って録画予約することを防止できる。
また、請求項５に係る発明は、請求項２から請求項４のいずれか１項に記載された番組予約システムにおいて、第２の暗証番号が携帯情報端末の電話番号であることを特徴とした番組予約システムである。
請求項５に記載された番組予約システムにおいては、携帯情報端末から番組表配信サーバへ通話されると、番組表配信サーバは番組コードを含む番組表データを携帯情報端末へ送信し、携帯情報端末は受信した番組コードと、転送先コードと、第１の暗証番号とを番組予約サーバへ送信する。そうすると、番組予約サーバは、携帯情報端末から受信した番組コードに基づいて予約コードを生成し、その生成した予約コードと、第１の暗証番号とを転送先コードに基づいて家庭用ビデオサーバへ送信する。そして、家庭用ビデオサーバは受信した第１の暗証番号が携帯情報端末の電話番号である第２の暗証番号と一致したとき、受信した予約コードに基づいて番組の予約を行う。
従って、請求項５に記載された発明によれば、外出先から希望する番組の番組予約を正確に行うことができる。また、外出先にて自宅の家庭用ビデオサーバに設定された第２の暗証番号を記憶していなくても正確に番組予約を行うことができる。
また、請求項６に係る発明は、請求項１から請求項５のいずれか１項に記載の番組予約システムにおいて、番組予約サーバが家庭用ビデオサーバに対しアクセスし予約コードを送信した後、番組予約サーバは家庭用ビデオサーバから録画予約が正常に行われたか否かの予約終了信号を受信し、該受信した予約終了信号に基づき携帯情報端末に録画予約の正常終了または異常終了を送信する番組予約システムである。
請求項６に記載された番組予約システムにおいては、携帯情報端末から番組表配信サーバへ通話されると、番組表配信サーバは番組コードを含む番組表データを携帯情報端末へ送信し、携帯情報端末は受信した番組コードと、転送先コードと、第１の暗証番号とを番組予約サーバへ送信する。そうすると、番組予約サーバは、携帯情報端末から受信した番組コードに基づいて予約コードを生成し、その生成した予約コードと、第１の暗証番号とを転送先コードに基づいて家庭用ビデオサーバへ送信する。そして、家庭用ビデオサーバは受信した第１の暗証番号が予め設定された第２の暗証番号と一致したとき、受信した予約コードに基づいて番組の予約を行う。その後、家庭用ビデオサーバは、録画予約が正常に行われた否かの予約終了信号を番組予約サーバへ送信し、番組予約サーバは予約終了信号を携帯情報端末へ送信する。
従って、請求項６に記載された発明によれば、外出先から希望する番組の番組予約を正確に行うことができると共に、録画予約が正確に行われた否かを外出先にて知ることができる。
また、請求項７に係る発明は、請求項１から請求項５のいずれか１項に記載の番組予約システムにおいて、家庭用ビデオサーバが録画予約を行った後、家庭用ビデオサーバは携帯情報端末に対しアクセスを行い、録画予約の正常終了または異常終了を送信する記載の番組予約システムである。
【０００７】
請求項７に記載された番組予約システムにおいては、携帯情報端末から番組表配信サーバへ通話されると、番組表配信サーバは番組コードを含む番組表データを携帯情報端末へ送信し、携帯情報端末は受信した番組コードと、転送先コードと、第１の暗証番号とを番組予約サーバへ送信する。そうすると、番組予約サーバは、携帯情報端末から受信した番組コードに基づいて予約コードを生成し、その生成した予約コードと、第１の暗証番号とを転送先コードに基づいて家庭用ビデオサーバへ送信する。そして、家庭用ビデオサーバは受信した第１の暗証番号が予め設定された第２の暗証番号と一致したとき、受信した予約コードに基づいて番組の予約を行う。その後、家庭用ビデオサーバは、録画予約が正常に行われた否かの予約終了信号を携帯情報端末へ送信する。
従って、請求項７に記載された発明によれば、外出先から希望する番組の番組予約を正確に行うことができると共に、録画予約が正確に行われた否かを外出先にて迅速に知ることができる。
また、請求項８に係る発明は、請求項１から請求項７のいずれか１項に記載された番組予約システムにおいて、番組表配信サーバから取得した番組表により予約する番組を選択した場合、その選択した番組に関連付けられた電話番号を自動的に発呼することを特徴とした番組予約システムである。
請求項８に記載された番組予約システムにおいては、携帯情報端末から番組表配信サーバへ通話されると、番組表配信サーバは番組コードを含む番組表データを携帯情報端末へ送信し、携帯情報端末は番組表データを受信する。そして、携帯情報端末が受信した番組表データから希望する番組を選択すると、その番組に関連する電話番号により番組予約サーバへ自動的に通話され、転送先コードと、選択した番組の番組コードとが番組予約サーバへ送信される。そうすると、番組予約サーバは、携帯情報端末から受信した番組コードに基づいて予約コードを生成し、その生成した予約コードを転送先コードに基づいて家庭用ビデオサーバへ送信する。そして、家庭用ビデオサーバは受信した予約コードに基づいて番組の予約を行う。
従って、請求項８に記載された発明によれば、外出先から録画予約を行う場合、番組予約サーバの電話番号を記憶していなくても録画予約を行うことができる。
【０００８】
【発明の実施と形態】
図を参照しつつ本発明の実施の形態を説明する。
図１は本願発明の一実施例に係る番組予約システムの概念図である。
１０１は公衆回線を介してデータを送受信可能な携帯情報端末、１０２は携帯情報端末１０１からの要求に応じて番組表を配信する番組表配信サーバ、１０３は携帯情報端末１０１からの送信データを受信し、受信したデータに基づき家庭用ビデオサーバに対し番組予約データを送信する番組予約サーバ、１０４は番組予約サーバ１０３からの番組予約データを受信し、番組録画予約を行う家庭用ビデオサーバである。
図２は携帯情報端末１０１の外観図である。
２０１は各種情報の表示を行う表示手段、２０２は数字キー及び特殊キーを含むダイヤルボタンで電話番号等の入力手段である。２０３はデータを記録可能な記録媒体を備えたメモリカードであり、携帯情報端末１０１に対し挿脱自在である。
図３は携帯情報端末１０１の回路ブロック図である。但し、図３は本実施例の説明に必要な回路ブロックのみを示しており、従来の携帯情報端末に備えられているが本実施例で使用されない回路ブロックや、制御線等は省略している。
３０１はＭＰＵ、３０２はＲＯＭであり、ＲＯＭ３０２に格納されているプログラムによってＭＰＵ３０１はシステムバスに接続されている各デバイスの制御を行う。３０３はメモリカードインタフェースであり、メモリカード２０３に対するコネクタを有している。
３０４は通話時またはメッセージ送信時における発信を行う発信手段である。３０５は通話時またはメッセージ受信時における受信を行う受信手段である。３０６は携帯電話網等を形成する固定局との無線通信を行う無線部である。
【０００９】
２０２はダイヤルキー、または特殊キー等からなる入力手段であり、電話番号の入力等の他に、番組予約の選択手段としても用いられる。３０７は入力手段１０２からの入力をエンコードし、システムバスへの出力を行うキーインタフェースである。３０８は表示インタフェースであり、システムバスからの入力をデコードし、画像データ、文字テキストデータ等のデータを表示手段２０１へ出力する。
【００１０】
図４は番組表配信サーバ１０２の構成例である。本実施例では番組配信元がサービス形態の一環として番組表データを無料で配信し、携帯情報端末の利用者が番組表データを取得することに対し課金を行わないと仮定して課金データベースを設けていないが、番組表データが有料である場合には課金データベースを設けても良い。
【００１１】
４０１は番組表配信サーバ１０２のコントローラであり、システムバスに接続されている各部の制御を行う。４０２は番組表データベースであり、コントローラの指示に従い、要求のあった番組表データをシステムバスに出力する。４０３は送受信部であり、専用線または公衆回線を介して携帯電話網に接続されている。送受信部４０３は番組表配信サーバ１０２と携帯情報端末１０１とのデータの送受信を制御する。
【００１２】
図５は番組予約サーバ１０３の構成例である。本実施例では課金データベースが設けられているが、録画予約する番組がＰａｙ  Ｐｅｒ  Ｖｉｅｗ方式などに限定されている場合や、番組配信元がサービス形態の一環として行う場合等には、番組予約サーバに課金データベースを設けなくても良い。
５０１は番組予約サーバ１０３のコントローラであり、システムバスに接続されている各部の制御を行う。５０２は予約コードデータベースであり、コントローラの指示に従い、録画予約の要求があった番組データに基いて対応する予約コードをシステムバスに出力する。５０３は送受信部であり、専用線または公衆回線を介して携帯電話網に接続されている。送受信部５０３は携帯情報端末１０１とのデータの送受信を制御する。また、衛星回線、専用線、公衆回線等を介して家庭用ビデオサーバ１０４と接続されており、家庭用ビデオサーバ１０４とのデータの送受信を制御する。
図６は家庭用ビデオサーバ１０４の構成における第１の実施例である。但し、図６は本実施例の説明に必要な回路ブロックのみを示しており、ＶＣＲなどの従来の家庭用ビデオサーバに備えられているが本実施例で使用されない回路ブロックや、制御線等は省略している。
【００１３】
６０１は家庭用ビデオサーバ１０４のＭＰＵであり、システムバスに接続されている各部の制御を行う。６０２は送受信部であり、携帯電話網等を形成する固定局との無線通信を行い、番組予約サーバ１０３とのデータの送受信を行う。６０３は予約コードデコーダであり、送受信部６０２で受信した予約コードに基づき、録画開始時刻、録画終了時刻、録画チャンネル等の録画予約に必要な情報データを、必要に応じて記録装置６０４の録画予約コードへと変換し、出力する。６０４はＶＣＲ等の記録装置であり、録画予約機能を備えていればいかなる記録装置であっても良い。
【００１４】
本実施例では番組予約サーバ１０３とのデータの送受信手段が公衆回線と仮定して説明を行ったが、ＣＳやＢＳ等の衛星放送の場合には衛星回線、ケーブルテレビの場合には有線を用いて予約コードデータの送受信を行うなど、番組予約サーバ１０３と家庭用ビデオサーバ１０４の間で予約コードデータを送受信可能な手段であればいずれの手段であっても良い。
【００１５】
図７は携帯情報端末１０１の利用者が番組表配信サーバ１０２から番組表の配信を無料で受ける場合の処理フローである。
Ｓ７０１で携帯情報端末１０１が番組表配信サーバ１０２への回線を接続すると、Ｓ７１１で番組表配信サーバ１０２は携帯情報端末１０１と回線を接続し、Ｓ７１２で関西、関東、東海などいずれの地域か、何月何日から何月何日までの期間か、どのチャンネルかなど必要な条件を携帯情報端末１０１の利用者に対し要求する。Ｓ７０２で携帯情報端末１０１の利用者は入力手段２０２等により必要な条件を入力し、番組表配信サーバ１０２へと送信する。Ｓ７１３で必要な条件を受信した番組表配信サーバ１０２は、Ｓ７１４で番組表データベース４０２を検索し、画像データ、文字データ等からなる番組表情報と各番組に関連付けられた番組コード情報等を含む番組表データを携帯情報端末１０１へ送信する。
【００１６】
Ｓ７０３で携帯情報端末１０１は番組表データを受信し、メモリカード２０３に記録する。番組表データを記録し終えた携帯情報端末１０１は、Ｓ７０４で番組表配信サーバ１０２との回線を切断し、Ｓ７０５で表示手段２０１にて番組表を表示する。また番組の選択方法によっては番組コードを表示する。
本実施例ではＳ７０４で携帯情報端末１０１が番組表データを記録し終えた時点で番組表配信サーバ１０２との回線切断を行ったが、番組表配信サーバ１０２が番組表データを携帯情報端末１０１へ送信し終えた時点で携帯情報端末１０１との回線を切断しても良い。またＳ７０３とＳ７０５を同時並行、即ち番組表データを受信して記録しつつ番組表の表示を行っても良い。
【００１７】
図７の実施例により、外出先にて携帯情報端末１０１上で正確な番組表を取得することが可能となる。従って、番組の録画予約に必要な情報を覚えていない場合でも録画予約に必要な情報を送信可能となる。
図８は、図７の処理フローに従い番組表配信サーバ１０２から番組表を取得した携帯情報端末１０１の利用者が、番組予約サーバ１０３へ番組予約を行い、それを受けた番組予約サーバ１０３が家庭用ビデオサーバ１０４へ番組予約を行う場合の処理フローにおける第１の実施例である。
【００１８】
Ｓ８０１で携帯情報端末１０１が番組予約サーバ１０３への回線を接続すると、Ｓ８１１で番組予約サーバ１０３は携帯情報端末１０１と回線を接続し、Ｓ８１２で録画予約を行う番組の番組コード及び転送先の電話番号など家庭用ビデオサーバ１０４に接続するために必要な情報を携帯情報端末１０１に対し要求する。Ｓ８０２で、携帯情報端末１０１にて入力手段２０２により予約したい番組の選択を行い、家庭用ビデオサーバ１０４との接続情報を入力し、番組コードと接続情報を番組予約サーバ１０３へ送信する。Ｓ８１３で番組予約サーバ１０３は番組コードと接続情報を受信すると、Ｓ８１４で携帯情報端末１０１との回線を切断する。
【００１９】
Ｓ８１５で受信した番組コードに基づき、予約コードデータベース５０２から録画開始時間、録画終了時間、録画したいチャンネル等の情報を含み番組コードとは異なる予約コードを取得し、Ｓ８１６で受信した接続情報を基に家庭用ビデオサーバ１０４へ回線を接続する。
Ｓ８２１で家庭用ビデオサーバ１０４は番組予約サーバ１０３と回線を接続し、Ｓ８２２で予約コードを番組予約サーバ１０３に対し要求する。Ｓ８１７で要求を受けた番組予約サーバ１０３は、Ｓ８１５で取得した予約コードを家庭用ビデオサーバ１０４に送信する。Ｓ８２３で家庭用ビデオサーバ１０４は予約コードを受信し、予約コードデコーダ６０３にて受信した予約コードに基づき記録装置６０４に受信可能な録画予約情報を生成する。
【００２０】
Ｓ８２４で記録装置６０４はＳ８２３で生成した録画予約情報を受け、録画予約操作を行い、正常に終了すればＳ８２６で番組予約サーバ１０３に対し正常終了したことを送信し、契約していないチャンネルなどの理由により正常に終了しなかった場合にはＳ８２５で番組予約サーバ１０３に対し異常終了したことを送信する。Ｓ８１８で番組予約サーバ１０３が正常終了を受信した場合には、Ｓ８１９で課金データベースの更新を行い処理を終了する。Ｓ８１０で異常処理を受信した場合には課金データベースを更新せずに処理を終了する。
【００２１】
Ｓ８２５またはＳ８２６で終了結果を送信した家庭用ビデオサーバ１０４は、Ｓ８２７で番組予約サーバ１０３との回線切断を行い、Ｓ８２８で携帯情報端末１０１との回線接続を行い、録画予約が正常に終了したか否かの終了結果を送信する。Ｓ８０３で携帯情報端末１０１は家庭用ビデオサーバ１０４との回線を接続し、終了結果を受信し、Ｓ８０４で家庭用ビデオサーバ１０４との回線を切断し番組予約の全ての処理が終了する。
【００２２】
本実施例では、家庭用ビデオサーバ１０４が携帯情報端末１０１に対し回線を接続し終了結果を送信したが、番組予約サーバ１０３が携帯情報端末１０１に対し回線を接続し終了結果を送信しても良いし、携帯情報端末１０１から番組予約サーバ１０３または家庭用ビデオサーバ１０４に回線を接続し終了結果を確認するようにしても良い。
【００２３】
図９は図７の処理フローに従い番組表配信サーバ１０２から番組表を取得した携帯情報端末１０１の利用者が、番組予約サーバ１０３へ番組予約を行い、それを受けた番組予約サーバ１０３が家庭用ビデオサーバ１０４へ番組予約を行う場合における処理フローの第２の実施例である。但し、図８の第１の実施例と同じ処理を行うブロックには同一番号を付し説明を省略する。
【００２４】
図８の第１の実施例との違いは、図８のＳ８１４で行った携帯情報端末１０１との回線切断を行わずに回線を接続したまま、家庭用ビデオサーバ１０４に録画予約を行い、Ｓ８１０またはＳ８１９で終了結果を受信した後、Ｓ９０１で家庭用ビデオサーバ１０４との回線切断を行い、Ｓ９０２で番組予約サーバ１０３が携帯情報端末１０１に対し回線を接続し終了結果の送信を行う点である。Ｓ８０３で終了結果を受信した携帯情報端末１０１はＳ９０３で番組予約サーバ１０３との回線を切断し、録画予約の全ての処理を終了する。
【００２５】
図８の第１の実施例または図９の第２の実施例により、外出先から携帯情報端末１０１を用いて家庭用ビデオサーバ１０４に録画予約を行うことが可能となり、また正常に録画予約が行えたか否かを確認することが可能となる。
図１０は家庭用ビデオサーバ１０４の構成における第２の実施例である。但し、図１０は本実施例の説明に必要な回路ブロックのみを示しており、ＶＣＲなどの従来の家庭用ビデオサーバに備えられているが本実施例で使用されない回路ブロックや、制御線等は省略している。また図６の第１の実施例と同一の処理を行うブロックには同一番号を付し説明を省略する。
【００２６】
図６の第１の実施例との違いは、暗証番号判定部１００１が付加されている点である。送受信部６０２にて予約コードと共に暗証番号を受信し、暗証番号判定部１００１にて受信した暗証番号を判定し、判定結果により録画予約を行うか否かを決定する。暗証番号を用いることにより、受信された予約コードが誤って送信されたものでないことを家庭用ビデオサーバ１０４にて確認可能となる。
【００２７】
図１１は図７の処理フローに従い、番組表配信サーバ１０２から番組表を取得した携帯情報端末１０１の利用者が、番組予約サーバ１０３へ番組予約を行い、それを受けた番組予約サーバ１０３が家庭用ビデオサーバ１０４へ番組予約を行う場合における処理フローの第３の実施例である。但し、図８の第１の実施例と同じ処理を行うブロックには同一番号を付し説明を省略する。
【００２８】
本実施例が図８の第１の実施例と異なるのは、図１１のＳ１１００で先ず携帯情報端末１０１にて番組表から録画予約したい番組を選択し、Ｓ１１０２で該選択した番組に関連付けられた番組予約サーバ１０３の電話番号を自動発呼する点と、Ｓ１１０２からＳ１１０７にて暗証番号を含むデータの送受信を行い、Ｓ１１０８で受信した第１の暗証番号と家庭用ビデオサーバ１０４に予め設定されている第２の暗証番号との判定を暗証番号判定部１００１にて行い、一致すればＳ８２４で記録装置６０４に録画予約を行い、一致しなければＳ８２５で異常終了を番組予約サーバ１０３に送信する点である。
【００２９】
前記暗証番号は携帯情報端末１０１と家庭用ビデオサーバ１０４に共通の夫々第１及び第２の暗証番号を設定しておき、携帯情報端末１０１が録画予約を行う場合に自動的に第１の暗証番号の送信を行う、または、家庭用ビデオサーバ１０４にのみ第２の暗証番号を設定しておき、録画予約を行う場合に携帯情報端末１０１の入力手段２０２により暗証番号を入力し、該入力された暗証番号を第１の暗証番号として送信する、または家庭用ビデオサーバ１０４に携帯情報端末１０１の電話番号を第２の暗証番号として設定しておき、録画予約を行う際に用いられた携帯情報端末１０１の電話番号を第１の暗証番号として用いる、等の方法が考えられる。
【００３０】
本実施例の処理フローにより、受信された予約コードが誤って送信されたものでないことを家庭用ビデオサーバ１０４にて確認可能となり、外出先から誤ることなく家庭用ビデオサーバ１０４に対し，録画予約を行うことが可能となる。
但し、第１及至第３の番組予約処理フローの実施例において、回線は送信側がデータ送信後に切断しても良いし、受信側がデータ受信後に切断しても良い。またメモリカード２０３は携帯情報端末１０１に挿脱自在としたが、携帯情報端末１０１に内蔵としても良い。
【図面の簡単な説明】
【図１】本発明の番組予約システムの概念を示す図である。
【図２】本発明に係る携帯情報端末の外観を示す図である。
【図３】本発明に係る携帯情報端末の回路ブロック図である。
【図４】本発明に係る番組表配信サーバの構成図である。
【図５】本発明に係る番組予約サーバの構成図である。
【図６】本発明に係る家庭用ビデオサーバの第１の構成図である。
【図７】本発明における番組表の配信動作を示すフローチャートである。
【図８】本発明における第１の録画予約動作を示すフローチャートである。
【図９】本発明における第２の録画予約動作を示すフローチャートである。
【図１０】本発明に係る家庭用ビデオサーバの第２の構成図である。
【図１１】本発明における第３の録画予約動作を示すフローチャートである。
【符号の説明】
１０１  …  携帯情報端末
１０２  …  番組表配信サーバ
１０３  …  録画予約サーバ
１０４  …  家庭用ビデオサーバ
２０１  …  表示手段
２０２  …  入力手段
２０３  …  メモリカード
３０１  …  ＭＰＵ
３０２  …  ＲＯＭ
３０３  …  メモリカードインタフェース
３０４  …  発信手段
３０５  …  受信手段
３０６  …  無線部
３０７  …  キーインタフェース
３０８  …  表示インタフェース
４０１  …  コントローラ
４０２  …  番組表データベース
４０３  …  送受信部
５０１  …  コントローラ
５０２  …  予約コードデータベース
５０３  …  送受信部
５０４  …  課金データベース
６０１  …  ＭＰＵ
６０２  …  送受信部
６０３  …  番組予約コードデコーダ
６０４  …  記録装置
１００１…  暗証番号判定部
【図１】
0003643746.tif 000002
【図２】
0003643746.tif 000003
【図３】
0003643746.tif 000004
【図４】
0003643746.tif 000005
【図５】
0003643746.tif 000006
【図６】
0003643746.tif 000007
【図７】
0003643746.tif 000008
【図８】
0003643746.tif 000009
【図９】
0003643746.tif 000010
【図１０】
0003643746.tif 000011
【図１１】
0003643746.tif 000012